(57)【要約】【課題】３波長対応光ディスク装置において、光ディスクの判別やビームエキスパンダの調整といった装置起動に要する時間を短縮すること。【解決手段】装置起動時は、装着された光ディスク２を装置内部に引き込むトレー駆動部２６の動作と、光ディスクの種類に応じてビームエキスパンダ２３の可動レンズ２２ｂを所定の位置に移動させるビームエキスパンダ駆動部２５の動作とを、並行して実行する。またディスク判別時は、当該装置に現在までに特定の種類の光ディスクが連続して装着された装着回数をメモリ６５に記憶し、その履歴情報を参照して、新たに判別する光ディスクの種類の判別順序を切り換える。【選択図】図１
2007095114.tif 000002
【特許請求の範囲】
【請求項１】
複数種類の光ディスクを装着可能であって該光ディスクに照射するレーザビームの焦点を調整するビームエキスパンダを有する光ディスク装置において、
装着された光ディスクを装置内部に引き込むトレー駆動部と、
光ディスクの種類に応じて上記ビームエキスパンダの可動レンズを所定の位置に移動させるビームエキスパンダ駆動部と、
該トレー駆動部と該ビームエキスパンダ駆動部を制御する制御部とを備え、
該制御部は、上記トレー駆動部が上記光ディスクを引き込む際、上記ビームエキスパンダ駆動部に対し上記可動レンズを並行して移動させることを特徴とする光ディスク装置。
【請求項２】
請求項１記載の光ディスク装置において、
前記制御部は、前記トレー駆動部が前記光ディスクを排出する際、前記ビームエキスパンダ駆動部に対し前記可動レンズを基準位置に移動させることを特徴とする光ディスク装置。
【請求項３】
複数種類の光ディスクを装着可能な光ディスク装置において、
装着された光ディスクから検出した信号を処理する信号処理部と、
該信号処理部の出力信号から上記光ディスクの種類を判別するディスク判別部と、
当該装置に過去に装着された光ディスクの種類の頻度を示す履歴情報を記憶する記憶部を備え、
上記ディスク判別部は、新たに装着された光ディスクの種類を判別する際、上記記憶部に記憶されている履歴情報を参照して、判別する光ディスクの種類の順序を切り換えることを特徴とする光ディスク装置。
【請求項４】
請求項１記載の光ディスク装置において、さらに、
装着された前記光ディスクから検出した信号を処理する信号処理部と、
該信号処理部の出力信号から上記光ディスクの種類を判別するディスク判別部と、
当該装置に過去に装着された光ディスクの種類の頻度を示す履歴情報を記憶する記憶部を備え、
上記ディスク判別部は、新たに装着された光ディスクの種類を判別する際、上記記憶部に記憶されている履歴情報を参照して、判別する光ディスクの種類の順序を切り換えるとともに、
前記ビームエキスパンダ駆動部は、上記ディスク判別部が最初に判別する光ディスクの種類に応じて前記ビームエキスパンダの可動レンズを移動させることを特徴とする光ディスク装置。
【請求項５】
請求項３または４記載の光ディスク装置において、
前記記憶部に記憶する履歴情報は、現在までに特定の種類の光ディスクが連続して装着された装着回数を含み、
前記ディスク判別部は、該装着回数が規定回数を超えた場合、該特定の種類の光ディスクから判別を開始することを特徴とする光ディスク装置。
【請求項６】
請求項３または４記載の光ディスク装置において、
前記信号処理部は、前記光ディスクに照射するレーザビームをディスク厚さ方向にスィープしてディスク表面から記録面までの所要時間を測定し、
前記ディスク判別部は、該所要時間を予め定めた閾値と比較することで光ディスクの種類を判別することを特徴とする光ディスク装置。
【請求項７】
複数種類の光ディスクを装着可能であって該光ディスクに照射するレーザビームの焦点を調整するビームエキスパンダを有する光ディスク装置の起動方法において、
装着された光ディスクを装置内部に引き込む工程と、
光ディスクの種類に応じて上記ビームエキスパンダの可動レンズを所定の位置に移動させる工程とを有し、
上記２つの工程を並行して行うことを特徴とする光ディスク装置の起動方法。
【請求項８】
請求項７記載の光ディスク装置の起動方法において、
さらに装着された光ディスクの種類を判別する工程を有し、
当該装置に過去に装着された光ディスクの種類の頻度を示す履歴情報を記憶し、
新たに装着された光ディスクの種類を判別する際、上記履歴情報を参照して、判別する光ディスクの種類の順序を切り換えるとともに、
最初に判別する光ディスクの種類に応じて前記ビームエキスパンダの可動レンズを移動させることを特徴とする光ディスク装置の起動方法。
【発明の詳細な説明】
【技術分野】
【０００１】
本発明は、複数の種類の光ディスクを装着可能な光ディスク装置及びその起動方法に関するものである。
【背景技術】
【０００２】
従来のＣＤ，ＤＶＤ等の光ディスクに加え、さらに高密度大容量化が可能なＢＤ（Ｂｌｕ−ｒａｙ  Ｄｉｓｃ）の実用化が開始されようとしている。光ディスク装置は、複数の種類の光ディスクを装着可能とするため、光ディスクの種類を判別し、判別した種類に応じて装置の動作条件を最適に切り換えるようにしている。
【０００３】
光学系としては、ＢＤ，ＤＶＤ，ＣＤディスクに対応するため、波長が４０５ｎｍ、６６０ｎｍ、７８０ｎｍの各レーザ光を発生する３波長光ピックアップを備え、対物レンズからの光ビームの焦点を各ディスクの記録面位置に合わせる。かつ、ＢＤディスクについてはディスク基板厚み誤差に伴う球面収差を補正するため、固定レンズと可動レンズで構成されるビームエキスパンダを新たに設けている（特許文献１参照）。
【０００４】
【特許文献１】特開２００５−１００４８１号公報
【発明の開示】
【発明が解決しようとする課題】
【０００５】
図２は、前記したビームエキスパンダ２３の構成例を示し、固定レンズ２２ａと可動レンズ２２ｂで構成される。可動レンズ２２ｂをディスクの種類に応じて所定の位置に移動させ、球面収差を補正する。
【０００６】
図３は、各種光ディスクの記録面の位置を模式的に示したものである。ディスクの種類によって、記録面の位置が異なる。対物レンズ９からのレーザビームは各ディスクの記録面に焦点を合わせるように調整する。
【０００７】
図４は、ビームエキスパンダの可動レンズ２２ｂの移動位置の例を示したものである。可動レンズ２２ｂは、ディスクの球面収差補正を行うため、ステッピングモータを使用して例えば１０μｍ／ステップの微小駆動を可能としている。このため、可動レンズ２２ｂを各ディスクの対応位置に移動するのに多大の時間が掛かることになる。
【０００８】
このように、３波長光ピックアップを搭載した３波長対応光ディスク装置を起動する際、装着された光ディスクが何れの種類のディスクであるかを判別し、更にビームエキスパンダの可動レンズの位置調整を行う必要がある。その結果、従来の２波長対応光ディスク装置に比べて、起動時間が大きく掛かるという課題が生じる。
【０００９】
本発明の目的は、３波長対応光ディスク装置において、光ディスクの判別やビームエキスパンダの調整といった装置起動に要する時間を短縮することにある。
【課題を解決するための手段】
【００１０】
本発明による光ディスク装置は、複数種類の光ディスクを装着可能であって光ディスクに照射するレーザビームの焦点を調整するビームエキスパンダを有しており、装着された光ディスクを装置内部に引き込むトレー駆動部と、光ディスクの種類に応じてビームエキスパンダの可動レンズを所定の位置に移動させるビームエキスパンダ駆動部と、トレー駆動部とビームエキスパンダ駆動部を制御する制御部とを備える。そして制御部は、トレー駆動部が光ディスクを引き込む際、ビームエキスパンダ駆動部に対し可動レンズを並行して移動させる。
【００１１】
また本発明による光ディスク装置は、複数種類の光ディスクを装着可能であって、装着された光ディスクから検出した信号を処理する信号処理部と、信号処理部の出力信号から光ディスクの種類を判別するディスク判別部と、当該装置に過去に装着された光ディスクの種類の頻度を示す履歴情報を記憶する記憶部を備える。そしてディスク判別部は、新たに装着された光ディスクの種類を判別する際、記憶部に記憶されている履歴情報を参照して、判別する光ディスクの種類の順序を切り換える。好ましくは、記憶部に記憶する履歴情報は、現在までに特定の種類の光ディスクが連続して装着された装着回数を含み、ディスク判別部は、装着回数が規定回数を超えた場合、特定の種類の光ディスクから判別を開始する。
【００１２】
本発明による光ディスク装置の起動方法は、複数種類の光ディスクを装着可能であって光ディスクに照射するレーザビームの焦点を調整するビームエキスパンダを有する光ディスク装置において、装着された光ディスクを装置内部に引き込む工程と、光ディスクの種類に応じてビームエキスパンダの可動レンズを所定の位置に移動させる工程とを有し、上記２つの工程を並行して行う。
【００１３】
さらに本発明では、装着された光ディスクの種類を判別する工程を有し、当該装置に過去に装着された光ディスクの種類の頻度を示す履歴情報を記憶し、新たに装着された光ディスクの種類を判別する際、履歴情報を参照して、判別する光ディスクの種類の順序を切り換えるとともに、最初に判別する光ディスクの種類に応じてビームエキスパンダの可動レンズを移動させる。
【発明の効果】
【００１４】
本発明によれば、装着された光ディスクの種類を判別し、またビームエキスパンダを調整するための起動時間が短縮され、ユーザの使い勝手に優れた光ディスク装置及びその起動方法を提供することができる。
【発明を実施するための最良の形態】
【００１５】
以下、本発明の実施の形態を図面に基づいて説明する。
【実施例１】
【００１６】
図１は、本発明による光ディスク装置の一実施例を示すブロック構成図である。３波長対応光ディスク装置１は点線の枠内で示しており、これに光ディスク２を装着する。スピンドルモータ３は、スピンドルモータ駆動回路４から供給される駆動電力によって、光ディスク２を回転する。光ピックアップ５において、半導体レーザ光源６は３波長のレーザビームを発光可能である。出射したレーザビームは、ハーフミラー７とミラー８で反射され、対物レンズ（フォーカスレンズ）９によって微小な光スポットに集光され、光ディスク２に照射される。その際、モニターディテクタ１１は照射するレーザビームの強度を検出し、半導体レーザ駆動回路１２は、照射するレーザビームの強度を一定となるように制御する。
【００１７】
光ディスク２にて反射したレーザビームは、対物レンズ９で再度集光され、ミラー８で反射し、ハーフミラー７を透過して４分割光検出器１０に達する。ハーフミラー７は、厚板のガラス板に反射率５０％の反射膜が蒸着されていて、光軸に対して約４５度傾いて配置されている。よって、４分割光検出器１０に達するレーザビームには非点収差が与えられる。４分割光検出器１０は、その受光領域が４個の受光素子に分割されていて、各々の受光素子で受光したレーザビームの光強度に応じた信号を出力する。
【００１８】
信号処理回路１３は４分割光検出器１０からの出力信号を受け、フォーカスエラー信号（ＦＥ）、総和検出信号（ＰＥ）、トラッキングエラー信号（ＴＥ）、情報再生信号を生成する。これらの信号はディスクの判別に利用するものであり、後で詳述する。レンズアクチュエータ駆動回路１４は、信号処理回路１３から出力されるＦＥ信号とＴＥ信号（ＴＥ）を増幅して、レンズアクチュエータ１５内のコイル１６に供給する。コイル１６は、対物レンズ９の位置を光軸方向（フォーカス方向）とディスク半径方向（トラッキング方向）に調整する。
【００１９】
本実施例の装置では、光ピックアップ５はさらにビームエキスパンダ２３を備える。図２は、ビームエキスパンダの構成を示す。ＢＤディスクの記録再生には、波長４０５ｎｍのレーザ光と開口数０．８５の対物レンズ９を用いるが、ＤＶＤディスク等に比べ、焦点ずれに対する許容値が厳しい。そこで、対物レンズ９とは別に、固定レンズ２２ａと可動レンズ２２ｂを組み合わせたビームエキスパンダ２３を設ける。可動レンズ２２ｂを移動調整することで、レーザビームをＢＤディスクの記録面に精度良く絞り込む。
【００２０】
図３は、各種光ディスクの記録面の位置を示す。ＢＤディスクの記録面７１はディスク表面７０からｄ＝約０．１ｍｍに存在し、ＤＶＤ７２ではｄ＝約０．６ｍｍに、ＣＤ７３ではｄ＝約１．２ｍｍの位置となる。これら各ディスクに対して、ビームエキスパンダ２３の可動レンズ２２ｂを移動させることで、それぞれのディスクの記録面にレーザビームの絞り込み位置を合わせる。ＢＤに対しては、さらに、可動レンズの微調整でディスク厚み誤差に伴う球面収差を補正する。
【００２１】
図４は、各種光ディスクに対する可動レンズ２２ｂの移動位置の例を示す。ＢＤのＬ１層とＤＶＤの記録面では予め設けた基準位置（Ｒｅｚｅｒｏ）からｓ＝約１ｍｍ、ＢＤのＬ０層ではｓ＝約２ｍｍ、ＣＤの記録面ではｓ＝約５ｍｍの距離に位置する。よって、起動時には、ディスクの種類に応じて可動レンズ２２ｂをこれらの位置に移動させる。
【００２２】
ビームエキスパンダ２３の可動レンズ２２ｂの移動機構は、ビームエキスパンダ用ステッピングモータ２４に螺旋状の溝が形成されたシャフト２８を取付け、シャフト２８の溝にビームエキスパンダ２３（可動レンズ２２ｂ）に固定されたピン２９を挿入する。マイクロコンピュータ（以下、マイコン）２１の制御により、ビームエキスパンダ駆動回路２５はステッピングモータ２４を駆動する。このモータ２４は、例えば１０μｍ／ステップ（駆動周波数１０００ｐｐｓ（パルス／ステップ））の高分解能を有し、駆動パルス数にて所定量の移動を実現する。移動時の基点となる基準位置（Ｒｅｚｅｒｏ）は、図示しない位置センサを設けて検出する。
【００２３】
光ピックアップ５の送り機構は、ステッピングモータ１７に螺旋状の溝が形成されたシャフト１８を取付け、シャフト１８の溝に光ピックアップ５に固定されたピン１９を挿入する。マイコン２１と送り駆動回路２０とによってステッピングモータ１７に取付けられたシャフト１８を回転させ、光ピックアップ５全体をディスク半径方向へ移動させる。
【００２４】
図５は、光ディスク２を当該装置に挿入／排出するためのトレー２８の斜視図である。光ディスク２はトレー２８に載置されて、装置内部に引き込み、また装置から排出される。その際トレーセンサ２７は、トレー２８の現在位置を検出する。トレー駆動回路２６は、マイコン２１の制御によりトレー２８を所定の位置に移動させる。
【００２５】
本実施例の光ディスク装置では、ビームエキスパンダ２３の調整と、トレーの引き込み動作とを並行して行うことに特徴がある。そのためマイコン（制御部）２１は、ビームエキスパンダ駆動回路２５とトレー駆動回路２６の動作をタイミングを合わせて制御する。ビームエキスパンダ２３の調整（可動レンズ移動）はステッピングモータ２４による微小駆動方式のため、元来調整時間の短縮は困難であった。そこでトレー引き込み動作とビームエキスパンダの動作を並行させることにより、起動時の時間短縮を図ることができる。
【００２６】
図６は、本発明による光ディスク装置の起動方法の一実施例を示すフローチャートである。本実施例では、トレー引き込み動作とビームエキスパンダ動作とを並行して行う。ビームエキスパンダの動作には、基準位置（Ｒｅｚｅｒｏ）の検出動作と、基準位置からディスクの種類に応じて予め定められた距離の指定位置へ可動レンズを移動させる動作とがある。ビームエキスパンダ動作を実行するためには、ディスクの種類を条件として与えなければならない。予め種類が判明していればそれに従って行えばよいが、不明の場合には、ディスク判別処理を行う際の判別の順序に従ってディスクの種類を与える。通常は記録層の浅いＢＤディスクの判別を先行する。
【００２７】
光ディスクがトレーに載置され、起動開始指令を受けると（Ｓ６００）、マイコン２１は、トレー引き込み動作と共にビームエキスパンダ（ＢｅａｍＥＸＰ）の基準位置検出（Ｒｅｚｅｒｏ検出）の動作を指示する（Ｓ６０１）。所定時間経過後、タイムアウトでなければ（Ｓ６０２でＮｏ）、トレー動作が完了したかどうかをトレーセンサ２７にて判定する（Ｓ６０３）。トレー動作が完了していなければ（Ｓ６０３でＮｏ）、Ｒｅｚｅｒｏ検出が完了しているかどうか判定する（Ｓ６０４）。両動作とも完了していなければ、上記Ｓ６０２に戻り判定を繰り返す。
【００２８】
トレー動作が先に完了したら（Ｓ６０３でＹｅｓ）、トレー引き込み動作とＢｅａｍＥＸＰ動作を停止させる（Ｓ６０５）。そして、ＢｅａｍＥＸＰ動作（Ｒｅｚｅｒｏ検出）のみ再開させる（Ｓ６０６）。タイムアウトでなければ（Ｓ６０７でＮｏ）、Ｒｅｚｅｒｏ検出が完了したかどうかの判定を繰り返す（Ｓ６０８）。Ｒｅｚｅｒｏ検出が完了したら、Ｓ６０９へ進み、ＢｅａｍＥＸＰ動作を停止させる。
【００２９】
一方、トレー動作よりもＲｅｚｅｒｏ検出が先に完了したら（Ｓ６０４でＹｅｓ）、Ｓ６０９へ進み、ＢｅａｍＥＸＰ動作を停止させる。次に、ＢｅａｍＥＸＰの可動レンズをディスクの種類に応じた指定位置へ移動させる（Ｓ６１０）。タイムアウトでなければ（Ｓ６１１でＮｏ）、可動レンズの移動が完了したかどうかの判定を繰り返す（Ｓ６１２）。可動レンズの移動が完了したら、トレー動作が完了したかどうかの判定を繰り返す（Ｓ６１３）。トレー動作が完了したら終了する（Ｓ６１５）。
【００３０】
もし上記各ステップ（Ｓ６０２、Ｓ６０７、Ｓ６１１）でタイムアウトになっていれば、所定時間内に起動動作が完了しなかった旨のエラー情報を表示する（Ｓ６１４）。
【００３１】
本実施例の起動方法によれば、トレーの引き込み動作とエキスパンダの可動レンズ調整とを並行して実行することにより、それぞれ単独に実行する方法に比べて、起動時間を大幅に短縮できる効果がある。
【００３２】
次に図７は、前記図６の実施例にさらに付加可能な、光ディスク装置の起動方法の他の実施例を示すフローチャートである。この実施例では、トレー排出動作とビームエキスパンダ動作の一部（Ｒｅｚｅｒｏ検出）とを並行して行うものである。ここでのＲｅｚｅｒｏ検出動作は、記録再生終了後に可動レンズを基準位置（Ｒｅｚｅｒｏ）に戻して待機させる動作であるが、そのときの位置精度は必ずしも要求しない。なぜなら、起動時には前記図６で述べたＲｅｚｅｒｏ検出動作を改めて実行し、高精度に位置決めするからである。よって、ここでは可動レンズをＲｅｚｅｒｏの近傍に移動するだけで十分である。
【００３３】
記録再生動作が終了し、トレー排出動作の開始指令を受けると（Ｓ７００）、マイコン２１は、トレー排出動作と共にＢｅａｍＥＸＰのＲｅｚｅｒｏ検出を指示する（Ｓ７０１）。タイムアウトでなければ（Ｓ７０２でＮｏ）、トレー動作が完了したかどうかを判定する（Ｓ７０３）。トレー動作が完了していなければ、Ｒｅｚｅｒｏ検出を完了したかどうか判定する（Ｓ７０４）。両動作とも完了していなければ上記ステップＳ７０２に戻り判定を繰り返す。
【００３４】
トレー動作が先に完了したら（Ｓ７０３でＹｅｓ）、トレー排出動作とＢｅａｍＥＸＰ動作を停止させる（Ｓ７０５）。そして、ＢｅａｍＥＸＰ動作（Ｒｅｚｅｒｏ検出）のみ再開させる（Ｓ７０６）。タイムアウトでなければ（Ｓ７０７でＮｏ）、Ｒｅｚｅｒｏ検出が完了したかどうかの判定を繰り返す（Ｓ７０８）。Ｒｅｚｅｒｏ検出が完了したら、Ｓ７０９へ進み、ＢｅａｍＥＸＰ動作を停止させる（Ｓ７１０）。タイムアウトでなければ（Ｓ７１０でＮｏ）、トレー動作が完了したかどうかの判定を繰り返し（Ｓ７１１）、完了すれば終了する（Ｓ７１３）。
【００３５】
一方、トレー動作よりもＲｅｚｅｒｏ検出が先に完了したら（Ｓ７０４でＹｅｓ）、Ｓ７０９へ進み上記同様の工程を行う。もし上記各ステップ（Ｓ７０２、Ｓ７０７、Ｓ７１０）でタイムアウトになっていれば、必要に応じてエラー表示を行う（Ｓ７１２）。
【００３６】
本実施例によれば、本来起動時に行うエキスパンダの可動レンズ調整の一部（Ｒｅｚｅｒｏ近傍に戻して待機させる）を、トレー排出動作時に並行して実行することにより、次に装置を起動する際に必要な工程を削減し、よって起動時間の短縮を図ることができる。
【実施例２】
【００３７】
図８は、本発明による光ディスク装置における信号処理回路１３の一実施例を示すブロック構成図である。信号処理回路１３は、４分割光検出器１０からの検出信号を受け、装着されたディスクの種類を判別するとともに、フォーカス・トラッキング制御、再生信号制御を行う。
【００３８】
まず、フォーカス制御から説明する。光ディスク２で反射されて４分割光検出器１０に到達したレーザビームは、途中のハーフミラーによって非点収差が与えられ、４個の受光素子１０ａ，１０ｂ，１０ｃ，１０ｄにて各々の出力信号Ｓａ，Ｓｂ，Ｓｃ，Ｓｄとなる。加算器３１にてＳａ＋Ｓｃを出力、加算器３２にてＳｂ＋Ｓｄを出力、加算器３３にてＳａ＋Ｓｄを出力、加算器３４にてＳｂ＋Ｓｃを出力する。加算器３３と加算器３４の出力は減算器３５に入力され、（Ｓａ＋Ｓｄ）−（Ｓｂ＋Ｓｃ）で表されるフォーカスエラー信号（ＦＥ信号）３６を出力する。ＦＥ信号３６は、レンズアクチュエータ駆動回路１４に入力されて増幅した後、レンズアクチュエータ１５のコイル１６に供給されて、フォーカスレンズ９を矢印３８で示す光軸方向に駆動することによりフォーカスずれの自動調整を行う。
【００３９】
次に、トラッキング制御について説明する。加算器３１と加算器３２の出力は減算器３９に入力され、（Ｓａ＋Ｓｃ）−（Ｓｂ＋Ｓｄ）で表されるトラッキングエラー信号（ＴＥ信号）４０を出力する。ＴＥ信号４０は、レンズアクチュエータ駆動回路１４に入力されて増幅した後、レンズアクチュエータ１５のコイル１６に供給されてフォーカスレンズ９を矢印３８とは垂直なディスク半径方向に駆動することにより、トラッキングずれの自動調整を行う。
【００４０】
また、加算器３１と加算器３２の出力は加算器４１に入力され、（Ｓａ＋Ｓｂ＋Ｓｃ＋Ｓｄ）で表される総和検出信号（ＰＥ信号）４２を出力する。ＰＥ信号４２はマイコン２１に入力され、Ａ／Ｄ変換器にてデジタル情報に変換され、情報の再生が行われる。
【００４１】
次に、ディスク判別に使用する各種信号について説明する。ディスク判別には、上記したフォーカスエラー信号（ＦＥ）、トラッキングエラー信号（ＴＥ）、総和検出信号（ＰＥ）を用いるとともに、さらに詳細な判別を行うため、以下の信号を生成する。
【００４２】
まずフォーカスエラー信号（ＦＥ）３６については、振幅検出回路５８にてＦＥ信号の振幅値を検出し、マイコン２１に送る。トラッキングエラー信号（ＴＥ）４０は、高周波通過フィルタ（ＨＰＦ）６０とＩＤ検出回路６１を通過させ、ＤＶＤ−ＲＡＭに特有のアドレス情報を得る。また、ＴＥ信号４０はＨＰＦ４５を通過させ、Ｗｏｂｂｌｅ信号４６を得る。Ｗｏｂｂｌｅ信号４６はＬＰＰ検出回路６２を通過させ、ＤＶＤ−Ｒ／ＲＷに特有のアドレス情報を得る。またＷｏｂｂｌｅ信号４６はＡＤＩＰ検出回路６３を通過させ、ＤＶＤ＋Ｒ／ＲＷに特有のアドレス情報を得る。さらにＷｏｂｂｌｅ信号４６は振幅検出回路４７を通過させ、Ｗｏｂｂｌｅ振幅値を得てマイコン２１に送る。総和検出信号（ＰＥ信号）４２は振幅・時間検出回路４９を通過させ、ＰＥ信号の振幅値とその検出タイミングを取得し、マイコン２１に送る。またＰＥ信号４２はＨＰＦ５１と低周波通過フィルタ（ＬＰＦ）５２を通過させ、情報再生信号（ＲＦ信号）５３を得る。ＲＦ信号５３はＤＡＴＡＩＤ検出回路５４を通過させ、ＤＶＤ−ＲＯＭ等（ＤＶＤ−ＲＯＭおよびＤＶＤ±Ｒ／ＲＷの記録領域）に特有のアドレス情報を得る。
【００４３】
図９は、本実施例におけるディスク判別法の一例を説明する図である。ここでは判別法の１つとして、ディスク記録面の位置（表面からの距離）を測定する方法を示し、前記総和検出信号（ＰＥ）と前記フォーカスエラー信号（ＦＥ）とを用いる。
【００４４】
判別しようとするディスク種類に従って対応する波長のレーザ光を発光させ、（ａ）のように、レーザビームの焦点をディスクの表面から記録面に向かって移動（フォーカススィープ）させる。そのときに得られるＰＥ信号（ｂ）とＦＥ信号（ｃ）とを測定する。フォーカススィープはレンズアクチュエータ駆動回路１４によりレンズアクチュエータ１５を駆動し、ＰＥ信号の振幅は振幅・時間検出回路４９が、またＦＥ信号の振幅は振幅検出回路５８にて検出する。
【００４５】
まず、フォーカススィープを開始して時間ｔ１を経過した時点で、ディスク表面にてＰＥ信号の小さなピークを検出する。更にスィープを進めて時間ｔ２を経過した時点で、記録面近傍にてＰＥ信号の大きなピークとＦＥ信号の大きな振幅を検出する。特にＦＥ信号は、記録面位置においてゼロクロス点を生じる。ディスク表面からの反射光を検出した時点から、ディスク記録面のＦＥ信号ゼロクロス点までの経過時間ｔ２を測定することにより、ディスク表面から記録面までの距離を知ることができる。ディスクの種類により記録面までの距離が異なることを利用し、これらを区別するための閾値を設ける。すなわち、ディスク表面から記録面までの距離ｄ＝約０．１ｍｍのＢＤを判別するための経過時間の閾値Ｔ＿ＢＤ、記録面までの距離ｄ＝約０．６ｍｍのＤＶＤを判別するための閾値Ｔ＿ＤＶＤを設定し（Ｔ＿ＢＤ＜Ｔ＿ＤＶＤ）、得られたｔ２をこれらの閾値と比較することでディスク判別を行う。マイコン２１はこれらの閾値を記憶し、比較判別を行う。
【００４６】
本実施例の判別方法では、ディスク種類をどのような順序で判別するかに特徴がある。すなわち、従来は予め定めたディスクの種類の順に判別し、例えば記録層の浅いＢＤを先行し、判別結果がＢＤでなければ次にＤＶＤの判別に移行するようにしていた。これに対し本実施例では、判別順序を固定せずに、過去の装着ディスクの履歴情報を参照して適応的に判別順序を切り換えるものである。本実施例では判別順序を決めるためのパラメータとして、ＢＤディスクから判別を開始するかどうかを示す「ＢＤ優先フラグ」を用いるが、以下これについて説明する。
【００４７】
図１０は、ＢＤ優先フラグを設定する手順を示すフローチャートである。ディスクが装着されトレー引き込み動作を行い（Ｓ１０１）、そのディスクの種類を判別する（Ｓ１０２）。ＣＤ又はＤＶＤディスクかどうかを判定し（Ｓ１０３）、ＣＤ又はＤＶＤであれば、「ＣＤ／ＤＶＤ連続カウンタ」の値（以下、Ｃｏｕｎｔ）に１を加算する（Ｓ１０４）。ＣＤ又はＤＶＤ以外（この場合ＢＤ）であれば、Ｃｏｕｎｔ値をゼロにリセットする（Ｓ１０５）。そして、Ｃｏｕｎｔ値を規定値（ＣＤ＿ＤＶＤ＿Ｔｈ）と比較する（Ｓ１０６）。規定値（ＣＤ＿ＤＶＤ＿Ｔｈ）を超えていれば、ＢＤ優先フラグをＯＦＦとする（Ｓ１０７）。規定値を超えていなければ、ＢＤ優先フラグをＯＮとする（Ｓ１０８）。そして記録再生処理後、当該ディスクを排出して（Ｓ１１２）終了する（Ｓ１１３）。
【００４８】
要するに、「ＣＤ／ＤＶＤ連続カウンタ」には、現時点までに当該装置にＣＤまたはＤＶＤが何回連続して装着されたかが記憶される。そして連続回数が規定回数を超えたら、ＢＤ優先フラグをＯＦＦにするものである。Ｃｏｕｎｔ値やＢＤ優先フラグの履歴情報は、マイコン２１の不揮発性メモリ６５に記憶しておき、新たなディスクが装着されたときの判別順序切り換えに利用する。
【００４９】
図１１〜図１４は、本実施例におけるディスク判別の一連の手順を示すフローチャートである。
【００５０】
図１１は、判別工程の第１段階で、ＢＤ優先フラグに従い、ＢＤまたはＤＶＤレーザから点灯して判別を行うことを示す。ＢＤ優先フラグがＯＮであれば（Ｓ２０１でＹｅｓ）、ＢＤレーザから点灯開始させ（Ｓ２０２）、フォーカススィープさせてＦＥ信号とＰＥ信号を測定する（Ｓ２０３）。これらの信号から、ディスク表面から記録面までの経過時間ｔ２を求め、予め定めた閾値Ｔ＿ＢＤと比較する（Ｓ２０４）。ｔ２＜Ｔ＿ＢＤの場合はＢＤと判定し（Ｓ２０５）、オートフォーカス、トラッキング制御をＯＮとして（Ｓ２０６）、判別を終了する（Ｓ２５０）。
【００５１】
Ｓ２０４でｔ２≧Ｔ＿ＢＤの場合は、次のＤＶＤレーザを点灯して（Ｓ２０７）、ＦＥ信号とＰＥ信号を測定する（Ｓ２０８）。そのときの記録面までの経過時間ｔ２を求め、予め定めた閾値Ｔ＿ＤＶＤと比較する（Ｓ２０９）。ｔ２＜Ｔ＿ＤＶＤの場合はＤＶＤと判定する（Ｓ２１０）。ＤＶＤの場合は、この後の図１２〜１４に示すように、さらに細分類（ＤＶＤ±Ｒ、±ＲＷ、ＲＯＭ、ＲＡＭ）して判別する。
【００５２】
Ｓ２０９でｔ２≧Ｔ＿ＤＶＤの場合は、次のＣＤレーザを点灯して（Ｓ２１１）、ＦＥ信号とＰＥ信号を測定する（Ｓ２１２）。ＦＥ振幅を閾値ＦＥ＿ＣＤと比較し（Ｓ２１３）、ＦＥ＞ＦＥ＿ＣＤであればＣＤと判定する（Ｓ２１４）。Ｓ２１３でＦＥ≦ＦＥ＿ＣＤであれば、ディスク無しと判定する（Ｓ２１５）。
【００５３】
一方、Ｓ２０１でＢＤ優先フラグがＯＦＦであれば、Ｓ２０７に進み、ＤＶＤレーザから点灯開始させて上記同様に判別を行う。ただしこの場合には、Ｓ２０９にてｔ２＜Ｔ＿ＤＶＤであってもＤＶＤであるとは断定できない（ＢＤである可能性がある）。これについては、図１２〜１４にて判別を継続する。
【００５４】
図１２〜図１４は、図１１のステップＳ２１０に続く第２段階の判別工程で、ＤＶＤを細分類して判別し、また場合によってはＤＶＤレーザからＢＤレーザに切り換えて判別する場合を示す。
【００５５】
Ｓ２１０でＤＶＤと判定された場合、さらにＤＶＤ特有のＰＩＤ信号を検出できたらＤＶＤ−ＲＡＭと判定し（Ｓ２２２）、ＬＰＰ信号を検出できたらＤＶＤ−Ｒと判定し（Ｓ２３１）、ＡＤＩＰ信号を検出できたらＤＶＤ＋Ｒと判定し（Ｓ２３６）、ＤａｔａＩＤを検出できたらＤＶＤ−ＲＯＭと判定する（Ｓ２３９）。また、Ｗｏｂｂｌｅ振幅が閾値Ｗｏｂ＿ＲＷより大きければＤＶＤ−ＲＷと判定し（Ｓ２４２）、Ｗｏｂｂｌｅ振幅が閾値Ｗｏｂ＿＋ＲＷより大きければＤＶＤ＋ＲＷと判定する（Ｓ２４５）。
【００５６】
もし、ＤＶＤ特有の信号（ＰＩＤ、ＬＰＰ、ＡＤＩＰ、ＤａｔａＩＤ）のいずれも検出できなかったら、Ｓ２２３に進みＢＤレーザに切り換えて点灯する。そして記録面までの経過時間ｔ２が閾値Ｔ＿ＢＤよりも小さければＢＤと判定する（Ｓ２２６）。
【００５７】
本実施例では、ＢＤ優先フラグに従い、ディスク判別の順序についてＢＤまたはＤＶＤのいずれを先行するかを切り換える。ＢＤ優先フラグには、現在までに装着されたディスクの種類の履歴が反映されているので、これを用いて次に装着されるディスクの種類を予想できる。すなわち装着される確率の高い種類から判別を開始するので、判別終了までに要する時間を短縮できる効果がある。
【００５８】
本実施例では、過去に装着されたＣＤ／ＤＶＤの連続装着回数に着目して次に装着されるディスクの種類を予想するものであるが、他の特定の種類（例えばＢＤ）の連続装着回数に着目して予想することも勿論可能である。また、連続装着回数に限らず、過去の装着頻度（割合）を示す指標であれば有効であることは言うまでもない。
【００５９】
上記実施例１はビームエキスパンダの動作について、また実施例２はディスク判別の順序に関するものであるが、これらはそれぞれ単独でも、また組み合わせても起動時間の短縮に大きく寄与する。組み合わせる場合には、実施例２で先行して判別するディスクの種類に合わせて、実施例１のビームエキスパンダの可動レンズの調整を行わせるようにすることは言うまでもない。本実施例によれば、３波長対応光ディスク装置において、装着された光ディスクの種類を判別し、またビームエキスパンダを調整するための起動時間が短縮され、ユーザの使い勝手が向上する。
【図面の簡単な説明】
【００６０】
【図１】本発明による光ディスク装置の一実施例を示すブロック構成図。
【図２】光ディスク装置におけるビームエキスパンダの構成を示す図。
【図３】各種光ディスクにおける記録面の位置を示す図。
【図４】各種光ディスクに対する可動レンズの移動位置の例を示す図。
【図５】光ディスクを挿入／排出するためのトレーの斜視図。
【図６】本発明による光ディスク装置の起動方法の一実施例を示すフローチャート。
【図７】本発明による光ディスク装置の起動方法の他の実施例を示すフローチャート。
【図８】本発明による光ディスク装置における信号処理回路の一実施例を示すブロック構成図。
【図９】本実施例におけるディスク判別法の一例を説明する図。
【図１０】本実施例におけるＢＤ優先フラグを設定する手順を示すフローチャート。
【図１１】本実施例におけるディスク判別の一連の手順を示すフローチャート。
【図１２】本実施例におけるディスク判別の一連の手順を示すフローチャート。
【図１３】本実施例におけるディスク判別の一連の手順を示すフローチャート。
【図１４】本実施例におけるディスク判別の一連の手順を示すフローチャート。
【符号の説明】
【００６１】
１…光ディスク装置、２…光ディスク、３…スピンドルモータ、５…光ピックアップ、６…半導体レーザ光源、９…対物レンズ、１０…４分割光検出器、１３…信号処理回路、１４…レンズアクチュエータ駆動回路、１５…レンズアクチュエータ、２１…マイクロコンピュータ、２２ｂ…可動レンズ、２３…ビームエキスパンダ、２５…ビームエキスパンダ駆動回路、２６…トレー駆動回路、２８…トレー、３６…フォーカスエラー（ＦＥ）信号、４０…トラッキングエラー（ＴＥ）信号、４２…総和検出（ＰＥ）信号、６５…不揮発性メモリ。
【図１】
2007095114.tif 000003
【図２】
2007095114.tif 000004
【図３】
2007095114.tif 000005
【図４】
2007095114.tif 000006
【図５】
2007095114.tif 000007
【図６】
2007095114.tif 000008
【図７】
2007095114.tif 000009
【図８】
2007095114.tif 000010
【図９】
2007095114.tif 000011
【図１０】
2007095114.tif 000012
【図１１】
2007095114.tif 000013
【図１２】
2007095114.tif 000014
【図１３】
2007095114.tif 000015
【図１４】
2007095114.tif 000016